【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
印刷情報を含むデジタル放送信号を受信するとともに、印刷装置と通信可能に接続されたデジタル放送受信装置であって、
受信中のデジタル放送信号に含まれる印刷情報に基づく印刷処理の実行を要求する印刷要求を受信する受信手段と、
前記印刷装置が実行中の印刷処理の継続期間を示す第１情報を取得する第１取得手段と、
前記受信中のデジタル放送信号に前記印刷要求に対応する印刷情報が含まれる存在期間を示す第２情報を取得する第２取得手段と、
前記第１情報、及び前記第２情報に基づいて、前記存在期間が前記継続期間より先に終了するか否かを判定する判定手段と、
前記存在期間が前記継続期間より先に終了すると前記判定手段で判定された場合、前記実行中の印刷処理を停止して前記印刷要求に対応する印刷情報に基づく印刷処理を実行するように前記印刷装置に指示を発行する制御を行う制御手段と、
を備えることを特徴とするデジタル放送受信装置。
【請求項２】
前記第１情報は、前記実行中の印刷処理の終了時刻を示す情報であり、
前記第２情報は、前記印刷要求に対応する印刷情報を含んだ放送が終了する終了時刻を示す情報であり、
前記判定手段は、前記印刷要求に対応する印刷情報を含んだ放送が終了する終了時刻が、前記実行中の印刷処理の終了時刻よりも早い場合に、前記存在期間が前記継続期間より先に終了すると判定する
ことを特徴とする請求項１に記載のデジタル放送受信装置。
【請求項３】
前記制御手段は、前記存在期間が前記継続期間より先に終了しないと前記判定手段で判定された場合、前記実行中の印刷処理が完了した後に、前記印刷要求に対応する印刷情報に基づく印刷処理を実行するように前記印刷装置に指示を発行する制御を行うことを特徴とする請求項１に記載のデジタル放送受信装置。
【請求項４】
前記印刷要求に対応する印刷情報は、前記受信中のデジタル放送信号の１つのチャンネルと関連付けられ、
前記第２取得手段は、前記受信中のデジタル放送信号に含まれる前記１つのチャンネルのＰＳＩ／ＳＩから前記第２情報を取得する
ことを特徴とする請求項１乃至３のいずれか１項に記載のデジタル放送受信装置。
【請求項５】
前記第２取得手段は、前記受信中のデジタル放送信号に含まれる前記１つのチャンネルの番組情報から、当該１つのチャンネルの番組の開始時刻及び継続時間を前記第２情報として取得することを特徴とする請求項４に記載のデジタル放送受信装置。
【請求項６】
前記印刷要求に対応する印刷情報は、前記受信中のデジタル放送信号の１つのチャンネルに含まれており、
前記印刷要求に対応する印刷情報は、前記制御手段による前記指示を発行する制御を可能にするアプリケーションを含み、
前記第２取得手段は、前記第２情報として、前記アプリケーションを実行可能な期間を示す情報を取得する
ことを特徴とする請求項１又は３に記載のデジタル放送受信装置。
【請求項７】
印刷情報を含むデジタル放送信号を受信するとともに、印刷装置と通信可能に接続されたデジタル放送受信装置の制御方法であって、
受信手段が、受信中のデジタル放送信号に含まれる印刷情報に基づく印刷処理の実行を要求する印刷要求を受信する受信工程と、
第１取得手段が、前記印刷装置が実行中の印刷処理の継続期間を示す第１情報を取得する第１取得工程と、
第２取得手段が、前記受信中のデジタル放送信号に前記印刷要求に対応する印刷情報が含まれる存在期間を示す第２情報を取得する第２取得工程と、
判定手段が、前記第１情報、及び前記第２情報に基づいて、前記存在期間が前記継続期間より先に終了するか否かを判定する判定工程と、
前記存在期間が前記継続期間より先に終了すると前記判定工程で判定された場合、制御手段が、前記実行中の印刷処理を停止して前記印刷要求に対応する印刷情報に基づく印刷処理を実行するように前記印刷装置に指示を発行する制御を行う制御工程と、
を備えることを特徴とするデジタル放送受信装置の制御方法。
【請求項８】
前記第１情報は、前記実行中の印刷処理の終了時刻を示す情報であり、
前記第２情報は、前記印刷要求に対応する印刷情報を含んだ放送が終了する終了時刻を示す情報であり、
前記判定工程では、前記印刷要求に対応する印刷情報を含んだ放送が終了する終了時刻が、前記実行中の印刷処理の終了時刻よりも早い場合に、前記存在期間が前記継続期間より先に終了すると判定する
ことを特徴とする請求項７に記載のデジタル放送受信装置の制御方法。
【請求項９】
前記制御工程では、前記存在期間が前記継続期間より先に終了しないと前記判定工程で判定された場合、前記実行中の印刷処理が完了した後に、前記印刷要求に対応する印刷情報に基づく印刷処理を実行するように前記印刷装置に指示を発行する制御を行うことを特徴とする請求項７に記載のデジタル放送受信装置の制御方法。
【請求項１０】
前記印刷要求に対応する印刷情報は、前記受信中のデジタル放送信号の１つのチャンネルと関連付けられ、
前記第２取得工程では、前記受信中のデジタル放送信号に含まれる前記１つのチャンネルのＰＳＩ／ＳＩから前記第２情報を取得する
ことを特徴とする請求項７乃至９のいずれか１項に記載のデジタル放送受信装置の制御方法。
【請求項１１】
前記第２取得工程では、前記受信中のデジタル放送信号に含まれる前記１つのチャンネルの番組情報から、当該１つのチャンネルの番組の開始時刻及び継続時間を前記第２情報として取得することを特徴とする請求項１０に記載のデジタル放送受信装置の制御方法。
【請求項１２】
前記印刷要求に対応する印刷情報は、前記受信中のデジタル放送信号の１つのチャンネルに含まれており、
前記印刷要求に対応する印刷情報は、前記制御工程における前記指示を発行する制御を可能にするアプリケーションを含み、
前記第２取得工程では、前記第２情報として、前記アプリケーションを実行可能な期間を示す情報を取得する
ことを特徴とする請求項７又は９に記載のデジタル放送受信装置の制御方法。
【手続補正２】
【補正対象書類名】明細書
【補正対象項目名】０００９
【補正方法】変更
【補正の内容】
【０００９】
上記課題を解決するために、第１の本発明は、印刷情報を含むデジタル放送信号を受信するとともに、印刷装置と通信可能に接続されたデジタル放送受信装置であって、受信中のデジタル放送信号に含まれる印刷情報に基づく印刷処理の実行を要求する印刷要求を受信する受信手段と、前記印刷装置が実行中の印刷処理の継続期間を示す第１情報を取得する第１取得手段と、前記受信中のデジタル放送信号に前記印刷要求に対応する印刷情報が含まれる存在期間を示す第２情報を取得する第２取得手段と、前記第１情報、及び前記第２情報に基づいて、前記存在期間が前記継続期間より先に終了するか否かを判定する判定手段と、前記存在期間が前記継続期間より先に終了すると前記判定手段で判定された場合、前記実行中の印刷処理を停止して前記印刷要求に対応する印刷情報に基づく印刷処理を実行するように前記印刷装置に指示を発行する制御を行う制御手段と、を備えることを特徴とするデジタル放送受信装置を提供する。
【手続補正３】
【補正対象書類名】明細書
【補正対象項目名】００１０
【補正方法】変更
【補正の内容】
【００１０】
また、第２の本発明は、印刷情報を含むデジタル放送信号を受信するとともに、印刷装置と通信可能に接続されたデジタル放送受信装置の制御方法であって、受信手段が、受信中のデジタル放送信号に含まれる印刷情報に基づく印刷処理の実行を要求する印刷要求を受信する受信工程と、第１取得手段が、前記印刷装置が実行中の印刷処理の継続期間を示す第１情報を取得する第１取得工程と、第２取得手段が、前記受信中のデジタル放送信号に前記印刷要求に対応する印刷情報が含まれる存在期間を示す第２情報を取得する第２取得工程と、判定手段が、前記第１情報、及び前記第２情報に基づいて、前記存在期間が前記継続期間より先に終了するか否かを判定する判定工程と、前記存在期間が前記継続期間より先に終了すると前記判定工程で判定された場合、制御手段が、前記実行中の印刷処理を停止して前記印刷要求に対応する印刷情報に基づく印刷処理を実行するように前記印刷装置に指示を発行する制御を行う制御工程と、を備えることを特徴とするデジタル放送受信装置の制御方法を提供する。
【手続補正４】
【補正対象書類名】明細書
【補正対象項目名】００６６
【補正方法】変更
【補正の内容】
【００６６】
●ＤＴＶ１００の印刷処理継続期間取得機能（第１取得手段）について
印刷制御部２４６は、印刷処理継続期間取得機を備える。印刷処理継続期間とは、プリンタ１０２が実行中の印刷処理が継続する期間を意味する。以下、図３及び図５を参照して、印刷処理継続期間取得機能を説明する。なお、図５において、図４と同一の符号を持つステップは、図４と同一の処理を示すため、説明を省略する。
【手続補正５】
【補正対象書類名】明細書
【補正対象項目名】００７０
【補正方法】変更
【補正の内容】
【００７０】
なお、上の説明では、プリンタ制御部３１０は、プリンタ状態と印刷処理の継続期間とを別々に取得したが、これらをまとめて取得できるようにプリンタ制御部３１０及びプリンタ１０２を構成してもよい。例えば、プリンタ状態取得部３１１によるプリンタ状態取得処理を行わずに、継続期間取得部３１２は、継続期間取得要求をプリンタ１０２へ送信する。プリンタ１０２は、継続期間取得要求を受信すると、プリンタ１０２内に存在する印刷ジョブに基づいて算出した継続期間をプリンタ制御部３１０に返す。印刷ジョブがプリンタ１０２内に存在しない場合、プリンタ１０２は、継続期間として「０」を返す。
【手続補正６】
【補正対象書類名】明細書
【補正対象項目名】００７５
【補正方法】変更
【補正の内容】
【００７５】
パターン３では、
「情報存在期間の開始時刻がジョブ継続期間の開始時刻より前であり、且つジョブ継続期間の開始時刻が情報存在期間の終了時刻より前であり、且つジョブ継続期間の終了時刻が情報存在期間の終了時刻より前」
である。
【手続補正７】
【補正対象書類名】明細書
【補正対象項目名】００８２
【補正方法】変更
【補正の内容】
【００８２】
図６では、情報存在期間とジョブ継続期間との重複期間を、点線の矩形で表現する。
【手続補正８】
【補正対象書類名】明細書
【補正対象項目名】００９８
【補正方法】変更
【補正の内容】
【００９８】
パターン５では、
「ジョブ継続期間の開始時刻が情報存在期間の開始時刻より前であり、且つ情報存在期間の開始時刻がジョブ継続期間の終了時刻より前であり、且つ情報存在期間の終了時刻がジョブ継続期間の終了時刻より前」
である為、ユーザからの印刷要求の受信タイミング（Ｕ２）は重複期間に存在する。また、ジョブ継続期間終了後は、印刷情報が存在しない。その為、ＤＴＶ１００はプリンタ１０２で実行中の印刷処理を停止させ、印刷指示を発行する（図７）（Ｔ２）。
【手続補正９】
【補正対象書類名】明細書
【補正対象項目名】０１１３
【補正方法】変更
【補正の内容】
【０１１３】
●変形例：Ｊａｖａ（登録商標）ベースアプリケーション実行環境について
以上の説明は、ＢＭＬを使用するデータ放送を前提としていた。以下では、変形例として、欧州や米国などで採用される放送規格であるＭＨＰ、ＧＥＭ、ＯＣＡＰなどの、Ｊａｖａ（登録商標）ベースアプリケーション実行環境に対応する実施形態を説明する。なお、ＭＨＰは、Ｍｕｌｔｉｍｅｄｉａ  Ｈｏｍｅ  Ｐｌａｔｆｏｒｍの略であり、ＧＥＭは、Ｇｌｏｂａｌｌｙ  Ｅｘｅｃｕｔａｂｌｅ  ＭＨＰの略である。また、ＯＣＡＰは、Ｏｐｅｎ  Ｃａｂｌｅ  Ａｐｐｌｉｃａｔｉｏｎ  Ｐｌａｔｆｏｒｍの略である。